(57)【特許請求の範囲】
【請求項１】
２つ以上の照明装置と、該２つ以上の照明装置それぞれの駆動を制御する制御装置と、を有し、
前記２つ以上の照明装置それぞれは、光源と、該光源の光量を検出した検出値を出力するセンサと、前記制御装置からの指令に基づいて前記光源の点灯を制御する制御部と、を備え、
前記制御装置は、交換検知部を備えており、
前記交換検知部は、前記２つ以上の照明装置のうち何れかの照明装置が交換されたことを検知し、前記２つ以上の照明装置のうち交換後の照明装置と未交換の照明装置とを弁別する検知結果を入手し、
前記制御装置は、前記検知結果に対応して取得した前記検出値に応じた検出結果に基づいて、前記交換後の照明装置の光量と、前記未交換の照明装置の光量との差が所定範囲内に収まるように、前記２つ以上の照明装置のうちの少なくとも１つの照明装置を制御する照明システム。
【請求項２】
前記光源は、第１光源と、第２光源と、を有しており、
前記制御部は、前記センサが光量を検出する検出対象の光源である前記第１光源のみ又は前記第２光源のみに光を放射させる第１期間と、前記第１光源及び前記第２光源に光を放射させる第２期間と、の組を１周期として、複数の周期を繰り返し、該複数の周期における前記第１光源の光及び前記第２光源の光による合成光のそれぞれの光出力が同じ光出力となるように前記光源の点灯を制御し、
前記センサは、前記第１期間における前記第１光源の光量及び前記第１期間における前記第２光源の光量を各別に検出した前記検出値を出力し、
前記制御部は、前記第１光源及び前記第２光源の点灯を各別に制御する請求項１に記載の照明システム。
【請求項３】
前記２つ以上の照明装置のそれぞれは、さらに、前記制御装置と通信する通信部を有しており、
該通信部は、前記交換後の照明装置の情報を提示する提示信号を前記制御装置に送信する請求項１または請求項２に記載の照明システム。
【請求項４】
前記制御装置は、履歴検知部を備えており、
該履歴検知部は、前記２以上の照明装置それぞれの累積点灯時間を計時するタイマであり、
前記交換検知部は、前記履歴検知部が計時した累積点灯時間の長さに基づいて、前記２つ以上の照明装置のうち、前記交換後の照明装置と、前記未交換の照明装置とを弁別する請求項１ないし請求項３のいずれか１項に記載の照明システム。
【請求項５】
請求項１ないし請求項４のいずれか１項に記載の前記照明システムと、該照明システムが搭載される本体と、を備えた移動体。
【発明の詳細な説明】
【技術分野】
【０００１】
本発明は、照明システム及びそれを備えた移動体に関し、特に、２つ以上の照明装置それぞれの光出力を制御する照明システム及びそれを備えた移動体に関する。
【背景技術】
【０００２】
今日、２つ以上の照明装置の光出力を制御する照明システムが利用されている。
【０００３】
この種の照明システムとしては、たとえば、複数台の照明器具と、コントローラと、を備えた構成が知られている（たとえば、特許文献１を参照）。
【０００４】
特許文献１の照明システムでは、コントローラは、照明器具のランプの光出力が設定値に保たれるように、ランプの累積点灯時間に応じて調光比率を変化させた調光信号を複数台の照明器具に与える。照明器具は、補正手段と、補正解除手段と、を備えている。補正手段は、ランプの交換が通知されると交換直後のランプの光出力が設定値付近になるように、調光信号により指示された調光比率に補正を加えてランプへの電力を制御する。補正解除手段は、コントローラから累積点灯時間のリセットの通知を受けたときに、補正手段による調光比率の補正を解除する。
【０００５】
特許文献１の照明システムでは、複数台の照明器具のうちの一部のランプを交換した場合でも、交換したランプのみが明るく点灯することを抑制できる、としている。
【先行技術文献】
【特許文献】
【０００６】
【特許文献１】特開２００３−１７２７８号公報
【発明の概要】
【発明が解決しようとする課題】
【０００７】
ところで、照明システムは、２つ以上の照明装置同士の光量ばらつきが、より小さい構成が求められており、上述の特許文献１の構成だけでは十分ではなく、更なる改良が求められている。
【０００８】
本発明の目的は、２つ以上の照明装置同士の光量ばらつきが、より小さい照明システム及びそれを備えた移動体を提供することにある。
【課題を解決するための手段】
【０００９】
本発明の一態様の照明システムは、２つ以上の照明装置と、制御装置と、を有している。上記制御装置は、上記２つ以上の照明装置それぞれの駆動を制御する。上記２つ以上の照明装置それぞれは、光源と、センサと、制御部と、を備えている。上記センサは、上記光源の光量を検出した検出値を出力できるように構成されている。上記制御部は、上記制御装置からの指令に基づいて、上記光源の点灯を制御する。上記制御装置は、交換検知部を備えている。当該交換検知部は、上記２つ以上の照明装置のうち、何れかの照明装置が交換されたことを検知するように構成されている。上記交換検知部は、上記２つ以上の照明装置のうち、交換後の照明装置と、未交換の照明装置と、を弁別する検知結果を入手する。上記制御装置は、上記検知結果に対応して取得した検出結果に基づいて、上記交換後の照明装置の光量と、上記未交換の照明装置の光量との差が所定範囲内に収まるように、上記２つ以上の照明装置のうちの少なくとも１つの照明装置を制御する。上記検出結果は、上記検出値に応じた値である。
【００１０】
本発明の一態様の移動体は、上述の上記照明システムと、本体と、を備えている。上記本体は、上記照明システムが搭載される。
【発明の効果】
【００１１】
本発明の照明システムは、２つ以上の照明装置同士の光量ばらつきを、より小さくできる。
【００１２】
本発明の移動体は、２つ以上の照明装置同士の光量ばらつきが、より小さい照明システムを備えた構成にできる。
【図面の簡単な説明】
【００１３】
【図１】図１は、実施形態１の照明システムを示す回路構成図である。
【図２】図２は、同上の照明システムの動作を説明する模式図である。
【図３】図３は、同上の照明システムに係る制御部の動作を説明するグラフである。
【図４】図４は、同上の照明システムに係る検出結果を説明する説明図である。
【図５】図５は、同上の照明システムが備える照明装置を示す分解斜視図である。
【図６】図６は、同上の照明システムが備える照明装置を示す斜視図である。
【図７】図７は、図６におけるＸＸ断面を示す断面図である。
【図８】図８は、実施形態２の移動体を示す一部破断した斜視図である。
【発明を実施するための形態】
【００１４】
（実施形態１）
以下では、本実施形態の照明システム２０を図１ないし図７に基づいて説明する。本実施形態に係る照明装置１０を図３ないし図７に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１５】
本実施形態の照明システム２０は、図１、図２Ａ、図２Ｂ及び図２Ｃに示すように、２つ以上の照明装置１０と、制御装置２１と、を有している。制御装置２１は、２つ以上の照明装置１０それぞれの駆動を制御する。図１、図２Ａ、図２Ｂ及び図２Ｃでは、２つ以上の照明装置１０として、４つの照明装置１０を例示している。図１、図２Ｂ及び図２Ｃでは、４つの照明装置１０として、第１照明装置１０Ａ、第５照明装置１０Ｅ、第３照明装置１０Ｃ、第４照明装置１０Ｄを示している。図２Ａでは、４つの照明装置１０として、第１照明装置１０Ａ、第２照明装置１０Ｂ、第３照明装置１０Ｃ、第４照明装置１０Ｄを示している。第１照明装置１０Ａと第２照明装置１０Ｂと第３照明装置１０Ｃと第４照明装置１０Ｄと第５照明装置１０Ｅとは、同じ構成を有している。
【００１６】
以下では、図１に示す第１照明装置１０Ａの構成を例にして、本実施形態に係る照明装置１０を説明する。
【００１７】
２つ以上の照明装置１０それぞれは、光源１ａと、センサ２と、制御部３と、を備えている。センサ２は、光源１ａの光量を検出した検出値を出力できるように構成されている。制御部３は、制御装置２１からの指令に基づいて、光源１ａの点灯を制御する。
【００１８】
制御装置２１は、交換検知部２１ａを備えている。交換検知部２１ａは、２つ以上の照明装置１０のうち、何れかの照明装置１０が交換されたことを検知するように構成されている。交換検知部２１ａは、２つ以上の照明装置１０のうち、交換後の照明装置１０と、未交換の照明装置１０と、を弁別する検知結果を入手する。図１、図２Ｂ及び図２Ｃでは、図２Ａの第２照明装置１０Ｂが、第５照明装置１０Ｅに交換されている。言い換えれば、図１、図２Ｂ及び図２Ｃでは、第５照明装置１０Ｅが交換後の照明装置１０であり、第１照明装置１０Ａ、第３照明装置１０Ｃ及び第４照明装置１０Ｄが未交換の照明装置１０である。
【００１９】
制御装置２１は、検知結果に対応して取得した検出結果に基づいて、交換後の照明装置１０の光量と、未交換の照明装置１０の光量との差が所定範囲内に収まるように、２つ以上の照明装置１０の少なくとも１つの照明装置１０を制御する。検出結果は、検出値に応じた値としている。
【００２０】
本実施形態の照明システム２０は、制御装置２１が、交換後の照明装置１０の光量と、未交換の照明装置１０の光量との差が所定範囲内に収まるように、照明装置１０を制御する構成で、２つ以上の照明装置１０同士の光量ばらつきを、より小さくできる。
【００２１】
以下では、本実施形態の照明システム２０について、より詳細に説明する。
【００２２】
本実施形態の照明システム２０では、４つの照明装置１０それぞれが、送り配線により、外部電源２２と電気的に接続されている。外部電源２２は、たとえば、直流２８Ｖの電圧を出力することができるように構成されている。照明装置１０は、外部電源２２と電気的に接続されて、光源１ａに電力を供給できるように構成されている。
【００２３】
照明装置１０は、光源１ａとして、第１光源１ｆと、第２光源１ｓと、を少なくとも含んでいる。本実施形態に係る照明装置１０では、光源１ａは、発光色の異なる２種類以上のＬＥＤ(light emitting diode)を有している。図１では、発光色の異なる２種類以上の光源１ａとして、赤色光を放射する赤色ＬＥＤ１ａ１と、緑色光を放射する緑色ＬＥＤ１ａ２と、青色光を放射する青色ＬＥＤ１ａ３と、白色光を放射する白色ＬＥＤ１ａ４と、を例示している。
【００２４】
以下では、最初に、照明装置１０における光源１ａの点灯と、センサ２の光量の検出との関係を説明する。
【００２５】
制御部３は、第１期間と、第２期間と、の組を１周期として、複数の周期を繰り返し、複数の周期それぞれにおける第１光源１ｆの光及び第２光源１ｓの光による合成光のそれぞれの光出力が同じ光出力となるように、光源１ａの点灯を制御する。ここで、合成光とは、第１光源１ｆの光と第２光源１ｓの光とを合わせ、人間の目から見て実質的に一様な状態の光をいう。合成光は、たとえば、白色光と白色光とが合成された場合、輝度むらのない白色光が挙げられる。合成光は、たとえば、赤色光と、緑色光及び青色光が合成された場合、色むらのない白色光が挙げられる。
【００２６】
第１期間では、センサ２が光量を検出する検出対象の光源１ａである第１光源１ｆのみ又は第２光源１ｓのみに光を放射させる。第１期間は、２種類以上の光源１ａのうち、１種類の光源１ａのみに光を放射させる単色期間である。第２期間は、第１光源１ｆ及び第２光源１ｓに光を放射させる。第２期間は、２種類以上の光源１ａに光を放射させる混色期間である。
【００２７】
図３では、本実施形態に係る照明装置１０において、時刻ｔ１から時刻ｔ４までを１周期として例示しており、時刻ｔ１以後から時刻ｔ２までが赤色ＬＥＤ１ａ１のみに光を放射させる単色期間を示し、時刻ｔ２以後から時刻ｔ４までが混色期間を示す。以下では、赤色ＬＥＤ１ａ１のみに光を放射させる単色期間を第１単色期間Ｔ１とも称する。図３では、たとえば、赤色光の検出を行う場合、１種類の光源１ａを赤色ＬＥＤ１ａ１とし、２種類以上の光源１ａを、赤色ＬＥＤ１ａ１、緑色ＬＥＤ１ａ２、青色ＬＥＤ１ａ３及び白色ＬＥＤ１ａ４として例示している。同様に、時刻ｔ５から時刻ｔ８までは、１周期を示しており、時刻ｔ５以後から時刻ｔ６までが緑色ＬＥＤ１ａ２のみに光を放射させる単色期間を示し、時刻ｔ６以後から時刻ｔ８までが混色期間を示す。以下では、緑色ＬＥＤ１ａ２のみに光を放射させる単色期間を第２単色期間Ｔ２とも称する。時刻ｔ９から時刻ｔ１２までは、１周期を示しており、時刻ｔ９以後から時刻ｔ１０までが青色ＬＥＤ１ａ３のみに光を放射させる単色期間を示し、時刻ｔ１０以後から時刻ｔ１２までが混色期間を示す。以下では、青色ＬＥＤ１ａ３のみに光を放射させる単色期間を第３単色期間Ｔ３とも称する。時刻ｔ１３から時刻ｔ１６までは、１周期を示しており、時刻ｔ１３以後から時刻ｔ１４までが白色ＬＥＤ１ａ４のみに光を放射させる単色期間を示し、時刻ｔ１４以後から時刻ｔ１６までが混色期間を示す。以下では、白色ＬＥＤ１ａ４のみに光を放射させる単色期間を第４単色期間Ｔ４とも称する。各周期では、赤色ＬＥＤ１ａ１、緑色ＬＥＤ１ａ１、青色ＬＥＤ１ａ３及び白色ＬＥＤ１ａ４の光による混色光が人の目には同じ光色として認識できる。ここで、同じ光色とは、照明装置１０から放射される混色光の色が完全に一致する場合だけでなく、人が光色の違いを実質的に区別できない場合も含む。
【００２８】
制御部３は、発光色の異なる種類の光源１ａのうち、検出対象以外の光源１ａの点灯を開始するタイミングを、検出対象の光源１ａの光量の検出が完了した単色期間の後にシフトさせている。制御部３は、複数の周期における２種類以上の光による混色光が同じ光色となるように、２種類以上の光源１ａの点灯を制御している。
【００２９】
照明システム２０は、所定の光源１ａの光量を検出する場合、発光色の異なる種類の光源１ａを全て点灯させる場合であっても、検出対象の光源１ａを点灯させるタイミングと、検出対象以外の光源１ａを点灯させるタイミングとを異ならせている。
【００３０】
センサ２は、第１期間における第１光源１ｆの光量及び第１期間における第２光源１ｓの光量を各別に検出した検出値を出力する。すなわち、センサ２は、単色期間における１種類の光源１ａの光量を検出した検出値を出力する。制御部３は、さらに、図４に示すように、検出値が所定回数において検出された値に対応した検出結果に基づいて、光源１ａの光量が目標範囲内に収まるように第１光源１ｆ及び第２光源１ｓの点灯を各別に制御している。すなわち、制御部３は、検出結果に基づいて、光源１ａの光量が目標範囲内に収まるように、２種類以上の光源１ａの点灯を各別に制御している。
【００３１】
図４では、１周期において、赤色ＬＥＤ１ａ１のみに光を放射させる第１単色期間Ｔ１の間に、センサ２が赤色光の光量を連続して１０回検出した検出値の合計した合計値を赤色ＬＥＤ１ａ１の検出結果としている。図４中においては、１周期における混色期間を省略している。同様に、図４では、１周期において、緑色ＬＥＤ１ａ２のみに光を放射させる第２単色期間Ｔ２の間に、センサ２が緑色光の光量を連続して１０回検出した検出値の合計した合計値を緑色ＬＥＤ１ａ２の検出結果としている。図４では、１周期において、青色ＬＥＤ１ａ３のみに光を放射させる第３単色期間Ｔ３の間に、センサ２が青色光の光量を連続して１０回検出した検出値の合計した合計値を青色ＬＥＤ１ａ３の検出結果としている。図４では、１周期において、白色ＬＥＤ１ａ４のみに光を放射させる第４単色期間Ｔ４の間に、センサ２が白色光の光量を連続して１０回検出した検出値の合計した合計値を白色ＬＥＤ１ａ４の検出結果としている。本実施形態において、検出値に応じた検出結果とは、検出値を積分で合計した合計値に対応する検出結果をいう。検出値に応じた検出結果は、検出値を合計した合計値に対応する結果だけに限られず、たとえば、複数回検出した検出値の平均値でもよい。
【００３２】
照明システム２０では、検出値が所定回数において検出された値に対応した検出結果に基づいて、制御部３が複数の光源１ａの点灯を各別に制御する構成で、２つ以上の照明装置１０同士の光量ばらつきを、小さくしている。
【００３３】
言い換えれば、本実施形態の照明システム２０では、光源１ａは、第１光源１ｆと、第２光源１ｓと、を有している。制御部３は、第１期間と、第２期間と、の組を１周期として、複数の周期を繰り返している。第１期間は、センサ２が光量を検出する検出対象の光源１ａである第１光源１ｆのみ又は第２光源１ｓのみに光を放射させる。第２期間は、第１光源１ｆ及び第２光源１ｓに光を放射させる。制御部３は、複数の周期における第１光源１ｆの光及び第２光源１ｓの光による合成光のそれぞれの光出力が同じ光出力となるように光源１ａの点灯を制御している。センサ２は、第１期間における第１光源１ｆの光量及び第１期間における第２光源１ｓの光量を各別に検出した検出値を出力する。制御部３は、第１光源１ｆ及び第２光源１ｓの点灯を各別に制御することが好ましい。
【００３４】
本実施形態の照明システム２０では、制御部３が、第１光源１ｆ及び第２光源１ｓの点灯を各別に制御する構成で、２つ以上の照明装置１０同士の光量ばらつきを、より小さくできる。本実施形態の照明システム２０では、制御部３が、第１光源１ｆ及び第２光源１ｓの点灯を各別に制御する構成で、２つ以上の照明装置１０同士の輝度むら及び色むらを、小さくできる。
【００３５】
以下では、本実施形態の照明システム２０が備える各構成について詳述する。
【００３６】
照明装置１０では、制御部３は、図１に示すように、駆動制御部３ａと、点灯回路３ｂと、通信部３ｃと、駆動電源部３ｄと、を備えている。
【００３７】
駆動制御部３ａは、点灯回路３ｂを制御する制御信号を出力できるように構成されている。制御信号としては、オン・デューティ比に対応させたＰＷＭ(Pulse Width Modulation)信号が挙げられる。駆動制御部３ａは、点灯回路３ｂを構成するスイッチング素子のオンとオフとをＰＷＭ信号により制御することで、所定の電流を光源１ａに流すことができる。駆動制御部３ａは、発光色の異なる２種類以上の光源１ａの出力を個別に制御することができるように構成されている。言い換えれば、駆動制御部３ａは、赤色ＬＥＤ１ａ１、緑色ＬＥＤ１ａ２、青色ＬＥＤ１ａ３及び白色ＬＥＤ１ａ４の各々を個別に調光制御できるように構成されている。駆動制御部３ａは、センサ２と電気的に接続されている。駆動制御部３ａは、センサ２から出力された検出値に基づいて、赤色光の光量、緑色光の光量及び青色光の光量を各別に取得することができる。
【００３８】
駆動制御部３ａは、１周期内において、センサ２が光量を検出する検出対象の光源１ａのみに光の放射を開始させるタイミングと、残りの光源１ａからの光の放射を開始させるタイミングと、をずらす位相差の制御を行うように構成されていてもよい。制御部３は、複数の周期のうちの２以上の周期にわたって、位相差を徐々に大きくすることもできる。制御部３は、位相をずらすタイミングが同じ制御を行う構成と比較して、位相差を徐々に大きくする制御を行うことで、照明装置１０から放射される光のちらつきを、抑制させることができる。
【００３９】
駆動制御部３ａが１周期内において位相差の制御を行っている場合、センサ２は、位相差が最も大きい１周期における第１期間で、検出対象の光源１ａの光量を検出していることが好ましい。センサ２は、位相差が最も大きい１周期における第１期間で光源１ａの光量を検出することにより、より検出感度を高めることを容易にすることができる。
【００４０】
センサ２は、第１期間における検出対象の光源１ａの点灯期間が検出値を検出する予め設定された検出時間より短い場合、検出対象の光源１ａの光量を検出しないことが好ましい。照明システム２０では、第１期間における検出対象の光源１ａの点灯期間が検出値を検出する予め設定された検出時間より短い場合、センサ２が光量を検出する検出対象の光源１ａの光量を検出しないことで、より検出感度を高めることを容易にすることができる。
【００４１】
照明システム２０では、たとえば、１周期の単色期間で１種類の光源１ａの光量を１回検出し、連続する複数の周期ごとの単色期間それぞれにおいて検出した検出値を合計した合計値を検出結果として、光源１ａの点灯を制御してもよい。
【００４２】
駆動制御部３ａは、たとえば、ＣＰＵ(Central Processing Unit)を備えたマイクロコンピュータで構成されている。マイクロコンピュータは、内蔵された記憶部３ａ１に記憶している適宜のプログラムを実行させることで、所定の制御動作を行うことができる。記憶部３ａ１は、電気的に書き換え可能な不揮発性半導体メモリで構成されている。不揮発性半導体メモリは、たとえば、フラッシュメモリ、ＥＥＰＲＯＭ（Electrically Erasable and Programmable Read Only Memory）などが挙げられる。記憶部３ａ１は、光源１ａの光出力を補正する補正係数が記憶されていてもよい。補正係数は、たとえば、センサ２で検出された光源１ａの光量が所定の光量となるように、ＰＷＭ信号のパルス幅を変調する補正値が挙げられる。照明装置１０は、駆動制御部３ａの記憶部３ａ１に記憶させたプログラムを適宜に変更することで、光源１ａの点灯やセンサ２の光量の検出の制御を適宜に変更させることができる。
【００４３】
点灯回路３ｂは、光源１ａの光出力を調整することができるように構成されている。点灯回路３ｂは、第１点灯回路３ｂ１と、第２点灯回路３ｂ２と、第３点灯回路３ｂ３と、第４点灯回路３ｂ４と、を備えている。第１点灯回路３ｂ１は、赤色ＬＥＤ１ａ１の点灯を制御できるように構成されている。第２点灯回路３ｂ２は、緑色ＬＥＤ１ａ２の点灯を制御できるように構成されている。第３点灯回路３ｂ３は、青色ＬＥＤ１ａ３の点灯を制御できるように構成されている。第４点灯回路３ｂ４は、白色ＬＥＤ１ａ４の点灯を制御できるように構成されている。第１点灯回路３ｂ１と第２点灯回路３ｂ２と第３点灯回路３ｂ３と第４点灯回路３ｂ４とは、基本的に同様の構成としている。照明装置１０は、赤色ＬＥＤ１ａ１、緑色ＬＥＤ１ａ２、青色ＬＥＤ１ａ３及び白色ＬＥＤ１ａ４それぞれが点灯回路３ｂからの給電により、任意の光色の混色光を放射できるように構成されている。照明装置１０は、たとえば、赤色ＬＥＤ１ａ１、緑色ＬＥＤ１ａ２及び青色ＬＥＤ１ａ３の光出力の比率を調整することで、放射される光が白色光となる。以下では、主として、第１点灯回路３ｂ１の構成について説明する。
【００４４】
第１点灯回路３ｂ１は、降圧チョッパ回路と、駆動回路と、を備えている。降圧チョッパ回路は、スイッチング素子を備えている。駆動回路は、スイッチング素子のオンとオフとの駆動を制御する。第１点灯回路３ｂ１は、降圧チョッパ回路と駆動回路とで、スイッチング電源回路を構成している。第１点灯回路３ｂ１は、外部電源２２からの直流電圧を、光源１ａを構成する複数の赤色ＬＥＤ１ａ１の直列回路に適した駆動電圧まで降圧する。第１点灯回路３ｂ１は、スイッチング素子のデューティ比に応じて、赤色ＬＥＤ１ａ１の光出力を増減させることができる。第１点灯回路３ｂ１は、直列接続された複数の赤色ＬＥＤ１ａ１を一括して制御できる。
【００４５】
通信部３ｃは、照明装置１０の外部に設けられた制御装置２１と相互に通信できるように構成されている。通信部３ｃは、電線を通信媒体として、制御装置２１と接続されている。通信部３ｃは、電線を通信媒体として、制御装置２１と接続される構成だけに限られない。通信部３ｃは、無線を通信媒体として、制御装置２１と接続される構成でもよい。通信部３ｃは、制御装置２１と最初に接続された場合、２つ以上の照明装置１０それぞれに対して割り振られた固有のアドレスと共に、提示信号を制御装置２１に送信できるように構成されている。提示信号は、２つ以上の照明装置１０のうち、交換後の照明装置１０を制御装置２１に提示する信号である。通信部３ｃは、制御装置２１からの求めに応じて、センサ２で検出した検出値を、２つ以上の照明装置１０それぞれに対して割り振られた固有のアドレスと共に、制御装置２１に送信できるように構成されている。通信部３ｃは、照明装置１０から放射させる光の光色や２つ以上の照明装置１０同士の光量ばらつきを小さくさせる補正係数を生成する情報を制御装置２１から受信できるように構成されている。通信部３ｃは、たとえば、ＲＳ−４８５トランシーバで構成される。ＲＳ−４８５トランシーバは、米国電子工業会の通信規格に準拠したＲＳ−４８５の信号の送信及び信号の受信を行うことができる。
【００４６】
駆動電源部３ｄは、駆動制御部３ａと点灯回路３ｂと通信部３ｃとに、駆動用の電力を供給できるように構成されている。駆動電源部３ｄは、たとえば、外部電源２２からの電力を２つの抵抗器の直列回路により分圧して、所定の駆動用の電力を供給できるように構成されている。
【００４７】
制御装置２１は、２つ以上の照明装置１０それぞれから送信された検出値を合計する演算機能を備えている。制御装置２１は、２つ以上の照明装置１０それぞれのセンサ２で検出した複数回の検出値を合計した合計値に対応した検出結果を、補正係数を生成する情報として２つ以上の照明装置１０それぞれに送信できるように構成されている。制御装置２１は、ソフトウエアと、適宜のソフトウエアで制御されるハードウエアとを備えたコンピュータで構成することができる。
【００４８】
制御装置２１は、交換検知部２１ａに加え、履歴検知部２１ｂを備えている。履歴検知部２１ｂは、２以上の照明装置１０それぞれの累積点灯時間を計時するタイマで構成されている。タイマは、コンピュータに内蔵されたタイマカウンタを利用して構成されている。履歴検知部２１ｂは、照明システム２０において、照明装置１０の光源１ａが最初に点灯を開始した点灯開始時点から経過した経過時間を、照明装置１０の累積点灯時間としている。交換検知部２１ａは、２つ以上の照明装置１０における累積点灯時間の長短で、２つ以上の照明装置１０のうち、交換後の照明装置１０と、未交換の照明装置１０とを弁別できる。交換検知部２１ａは、累積点灯時間を所定の範囲ごとに設定することで、２つ以上の照明装置１０それぞれが何時交換されたかの交換履歴も判別することができる。
【００４９】
照明装置１０は、図１に示す光源１ａとセンサ２と制御部３に加え、図５ないし図７に示すように、筐体４と、光学部材５と、を備えている。光源１ａとセンサ２と制御部３とは、実装基板１ｂと一体的に形成されて、光源ユニット１０ａの一部を構成している。図５ないし図７では、制御部３を省略している。
【００５０】
照明装置１０は、図５に示すように、複数のＬＥＤグループ１ｇが長尺の実装基板１ｂ上に実装されている。複数のＬＥＤグループ１ｇのそれぞれは、発光色の異なる４種類の光源１ａが１群として纏まっている。ＬＥＤグループ１ｇは、発光色の異なる４種類の光源１ａをＬＥＤとして、赤色ＬＥＤ１ａ１と、緑色ＬＥＤ１ａ２と、青色ＬＥＤ１ａ３と、白色ＬＥＤ１ａ４と、を１種類ずつ備えている。４種類のＬＥＤは、実装基板１ｂの短手方向の中央部に、実装基板１ｂの長手方向に沿って、直線状に配置されている。１つのＬＥＤグループ１ｇでは、４種類のＬＥＤが互いにほぼ等しい間隔で配置されている。複数のＬＥＤグループ１ｇは、所定の間隔を隔てて配置されている。複数のＬＥＤは、直線状に配置される構成だけに限られるものではない。各ＬＥＤグループ１ｇにおいて、複数のＬＥＤは、４個のＬＥＤが２×２のマトリクス状に並べられるように配置されるなど、直線状以外の他に配置された構成でも構わない。
【００５１】
発光色の異なる２種類以上の光源１ａは、赤色ＬＥＤ１ａ１と、緑色ＬＥＤ１ａ２と、青色ＬＥＤ１ａ３と、白色ＬＥＤ１ａ４の４種類だけに限られない。発光色の異なる２種類以上の光源１ａは、たとえば、シアン色の光を放射するシアンＬＥＤ、マゼンタ色の光を放射するマゼンタＬＥＤ及び黄色光を放射する黄色ＬＥＤの３種類だけでもよい。
【００５２】
ＬＥＤは、たとえば、ＬＥＤチップと、ＬＥＤチップを収納する凹所が設けられたパッケージと、凹所を封止する透光性の封止材とを備えた構成とすることができる。ＬＥＤは、たとえば、ＬＥＤチップとパッケージと封止材とを備えた表面実装型発光ダイオードであってもよいし、ＬＥＤチップ単体だけであってもよい。本実施形態に係る照明装置１０では、発光色が同じ種類のＬＥＤは、同じ電流でほぼ同じ色の光が放射できるように、予め分類された同一の色ランクのＬＥＤが用いられている。照明装置１０は、発光色ごとに同一のランクのＬＥＤを使用し、１つの照明装置１０内において、ＬＥＤの発光色ごとの色が揃うように構成されている。光源１ａは、発光色の異なる２種類以上の構成だけに限られない。光源１ａは、発光色の同じ複数のＬＥＤであってもよい。光源１ａは、同じ発光色の光源を複数の群とし、複数の群ごとに駆動できるように構成されていてもよい。すなわち、照明システム２０では、全て同じ発光色の光源１ａだけを備えた構成としてもよい。光源１ａは、たとえば、JIS Z 9112で規格化された昼光色が発光可能なＬＥＤ、白色が発光可能なＬＥＤ、昼白色が発光可能なＬＥＤ、温白色が発光可能なＬＥＤ又は電球色が発光可能なＬＥＤであってもよい。光源１ａは、JIS Z 9112で規格化されたＬＥＤだけに限られない。光源１ａは、たとえば、ANSI C78.377で規格化された光色が発光可能なＬＥＤであってもよい。
【００５３】
光源１ａは、ＬＥＤを利用した構成だけに限られない。光源１ａは、ＬＥＤの代わりに、有機ＥＬ素子や蛍光灯などの放電灯を利用する構成であってもよい。
【００５４】
実装基板１ｂは、矩形平板の外形形状をしている。実装基板１ｂは、ガラスエポキシ樹脂基板が用いられている。実装基板１ｂは、ガラスエポキシ樹脂基板だけに限られない。実装基板１ｂは、たとえば、絶縁層を介して、所定の形状の配線が設けられた金属基板などであってもよい。実装基板１ｂは、発光色の異なる種類のＬＥＤのうち、発光色が同じ光を放射するＬＥＤごとに点灯できるように、所定の形状の配線を用いて、発光色の同じ種類のＬＥＤごとに電気的に直列接続させている。実装基板１ｂには、発光色の同じ種類のＬＥＤごとに給電できるように、コネクタ１ｃが設けられている。発光色が同じ種類のＬＥＤは、１個でもよいし、複数個であってもよい。
【００５５】
センサ２は、発光色の異なる種類のＬＥＤごとの光量を検出することができるように構成されている。センサ２は、実装基板１ｂに設けられている。センサ２は、図５及び図７に示すように、センサ素子２ａと、第１カバー２ｄと、導光部材２ｃと、第２カバー２ｂと、を備えている。
【００５６】
センサ素子２ａは、実装基板１ｂに実装されている。センサ素子２ａは、光学フィルタを備えたフォトダイオードを有している。センサ素子２ａは、少なくとも３つのフォトダイオードを有している。３つのフォトダイオードは、互いに異なる光学フィルタを備えている。光学フィルタは、互いに異なる色の光を透過させる。異なる光学フィルタは、たとえば、赤色光、緑色光または青色光のいずれかを選択的に透過させる。
【００５７】
センサ素子２ａは、各色の光学フィルタに対応する３つのフォトダイオードのそれぞれによって、発光色の異なる光源１ａそれぞれの光量を検出することができる。センサ素子２ａは、光源１ａから放射された光を電気信号に変換して、変換した電気信号を出力する。センサ素子２ａは、赤色光、緑色光、青色光にそれぞれ感度を持ち、検出値を各色１６ビットのデジタル値で出力するように構成されている。センサ素子２ａは、赤色光の光量、緑色光の光量及び青色光の光量の検出値を、シリアルデータとして出力することができる。センサ素子２ａは、Ｉ２Ｃ(Inter-Integrated Circuit)インターフェースに対応したカラーセンサを用いることができる。
【００５８】
第１カバー２ｄは、実装基板１ｂに取り付けられている。第１カバー２ｄは、導光部材２ｃを保持できるように構成されている。第１カバー２ｄは、光源１ａ及びセンサ素子２ａに近接して配置されている。第１カバー２ｄは、たとえば、エポキシ樹脂などの樹脂材料で形成されている。第１カバー２ｄは、黒色樹脂で形成されていることが好ましい。第１カバー２ｄは、黒色樹脂で形成されている場合、導光部材２ｃを導光する光源１ａからの光が、外光や実装基板１ｂで反射された反射光などにより影響を受けることを抑制できる。
【００５９】
導光部材２ｃは、第１カバー２ｄの凹部に収納されるように構成されている。導光部材２ｃは、実装基板１ｂに実装された発光色の異なる光源１ａそれぞれからの光をセンサ素子２ａに導光できるように構成されている。
【００６０】
導光部材２ｃは、図５に示すように、第１受光部２ｃ１と、第２受光部２ｃ２と、第３受光部２ｃ３と、第４受光部２ｃ４と、を有している。第１受光部２ｃ１は、赤色ＬＥＤ１ａ１と対向するように設けられる。第２受光部２ｃ２は、緑色ＬＥＤ１ａ２と対向するように設けられる。第３受光部２ｃ３は、青色ＬＥＤ１ａ３と対向するように設けられる。第４受光部２ｃ４は、白色ＬＥＤ１ａ４と対向するように設けられる。導光部材２ｃは、第１受光部２ｃ１から入射された赤色光を、センサ素子２ａの受光面に照射できるように構成されている。導光部材２ｃは、第２受光部２ｃ２から入射された緑色光を、センサ素子２ａの受光面に照射できるように構成されている。導光部材２ｃは、第３受光部２ｃ３から入射された青色光を、センサ素子２ａの受光面に照射できるように構成されている。導光部材２ｃは、第４受光部２ｃ４から入射された白色光を、センサ素子２ａの受光面に照射できるように構成されている。導光部材２ｃは、アクリル樹脂で形成されている。導光部材２ｃは、アクリル樹脂で形成される構成だけに限られない。導光部材２ｃは、ポリカーボネート樹脂などの透光性樹脂で形成されていてもよい。導光部材２ｃは、透光性樹脂だけに限られず、ガラスを用いて形成されていてもよい。導光部材２ｃは、適宜の形状に形成されている。第２カバー２ｂは、導光部材２ｃを覆うように設けられる。第２カバー２ｂは、たとえば、エポキシ樹脂などの構成材料で形成することができる。第２カバー２ｂは、黒色樹脂で形成されていることが好ましい。第２カバー２ｂは、黒色樹脂で形成されている場合、導光部材２ｃを導光する光源１ａからの光が、外光の影響を受けることを抑制できる。
【００６１】
筐体４は、図５ないし図７に示すように、ボディ４ａと、端面板４ｂと、固定ねじ４ｃと、を備えている。筐体４は、長尺の外形形状をしている。筐体４は、光源ユニット１０ａと、光学部材５と、を保持できるように構成されている。
【００６２】
ボディ４ａは、底板４ａ１と、側板４ａ２と、を備えている。底板４ａ１は、平面視において矩形状の外形形状をしている。底板４ａ１は、切欠き部４ｋを備えている。底板４ａ１は、切欠き部４ｋにより、長手方向の両端が切り欠かれるように構成されている。側板４ａ２は、底板４ａ１の長手方向に沿って、底板４ａ１の短手方向の両端部から底板４ａ１の厚み方向に突出するように設けられている。一対の側板４ａ２は、互いに対向するように配置されている。側板４ａ２は、底板４ａ１と反対の先端部に一対のリブ４ｄが設けられている。リブ４ｄは、側板４ａ２の先端部から側板４ａ２の厚み方向に沿って、筐体４の内部に向けて延びるように設けられている。リブ４ｄは、筐体４の長手方向に沿って、設けられている。一対のリブ４ｄで形成された溝部４ｄａには、光学部材５の短手方向の両端部が差し込まれ、光学部材５を保持することができるように構成されている。ボディ４ａは、図５及び図７に示すように、長手方向と直交する方向に沿った断面視において、底板４ａ１と、一対の側板４ａ２とでＣ字状の外形形状をしている。ボディ４ａは、長手方向の両端部が開口しており、開口を塞ぐように、平板状の端面板４ｂが設けられている。
【００６３】
筐体４は、開口部４ａａを備えている。開口部４ａａは、底板４ａ１と、一対の側板４ａ２と、一対の端面板４ｂとで囲まれるように設けられている。筐体４は、光学部材５により開口部４ａａが塞がれるように構成されている。筐体４は、光源ユニット１０ａを内部に収容することができるように形成されている。筐体４は、たとえば、ねじにより、光源ユニット１０ａを底板４ａ１にねじ止め固定できるように構成されている。
【００６４】
ボディ４ａは、図７に示すように、ねじ保持部４ｅを備えている。ねじ保持部４ｅは、断面視がＣ字状の外形形状をしている。ねじ保持部４ｅは、底板４ａ１における側板４ａ２が突出した表面側と反対の裏面側の両端部に設けられている。ねじ保持部４ｅは、端面板４ｂを挿通する固定ねじ４ｃが、ねじ止めされるように構成されている。言い換えれば、端面板４ｂは、固定ねじ４ｃによりボディ４ａのねじ保持部４ｅにねじ止めされる。ボディ４ａは、一対の脚部４ｆを備えている。脚部４ｆは、ボディ４ａの長手方向に沿って設けられている。脚部４ｆは、長手方向と直交する断面視において、Ｌ字状の外形形状をしている。脚部４ｆは、ボディ４ａの底板４ａ１の厚み方向に沿って、底板４ａ１から離れる向きに突出している。一対の脚部４ｆは、先端が互いに離れるように構成されている。脚部４ｆには、照明装置１０が保持される被保持体にねじ止めして保持できるように、複数の貫通孔が形成されていてもよい。
【００６５】
光学部材５は、光源１ａからの光が透過できるように構成されている。光学部材５は、透光性材料で構成されている。透光性材料は、たとえば、アクリル樹脂、エポキシ樹脂やガラスなどが挙げられる。光学部材５は、光源１ａと相対する面に、レンズ５ａを有している。レンズ５ａは、光源１ａからの光を、筐体４の外部に所定の配光特性で出射できるように構成されている。レンズ５ａは、たとえば、フレネルレンズで構成することができる。光学部材５は、平板の長尺の外形形状に形成されている。光学部材５は、短手方向の両端に長手方向に沿った一対の鍔部５ｂを有している。一対の鍔部５ｂは、光学部材５の短手方向における両端の各々から外方に伸びるように設けられている。光学部材５は、ボディ４ａの長手方向に沿って設けられた一対のリブ４ｄで構成される溝部４ｄａに、鍔部５ｂがスライド挿入されるように構成されている。光学部材５は、ボディ４ａに対して、装着及び脱離ができるように構成されている。
【００６６】
以下では、図２Ａ、図２Ｂ及び図２Ｃを用いて本実施形態の照明システム２０の動作について説明する。
【００６７】
照明システムでは、照明装置の故障、照明装置の経時劣化ばらつきなどに起因して、同じ量の電力を供給する場合でも、２つ以上の照明装置のうち一部の照明装置の光量だけ、他の照明装置の光量と比較して、光量が大きく低下する場合がある。照明システムでは、２つ以上の照明装置のうち、故障などが生じた照明装置だけが交換される場合がある。交換済みの照明装置は、未交換の照明装置と比較して経時劣化が少ない分だけ、光量が大きくなる傾向にある。
【００６８】
照明システム２０では、図２Ａにおいて、照明装置１０が最初に点灯を開始した点灯開始時点から累積点灯時間が１００００時間経過後の状態を例示している。照明システム２０では、第１照明装置１０Ａの光量が８２％、第２照明装置１０Ｂの光量が０％、第３照明装置１０Ｃの光量が７８％、第４照明装置１０Ｄの光量が８０％となる場合がある。照明装置１０の光量は、照明装置１０の点灯開始時を基準として、初期の照明装置１０の光量を１００％とした場合における１００００時間経過後の値を示している。図２Ａでは、故障により交換が必要な第２照明装置１０ＢにＸの印が重ねられている。
【００６９】
図２Ｂでは、図２Ａに示す第２照明装置１０Ｂから第５照明装置１０Ｅに交換済みとなっている。照明システム２０では、たとえば、第５照明装置１０Ｅに交換された最初の起動時に、第５照明装置１０Ｅが、通信部３ｃを介して、２つ以上の照明装置１０それぞれに対して割り振られた固有のアドレスと共に提示信号を制御装置２１に送信する。照明システム２０では、システムの起動時ごとに、制御装置２１が２以上の照明装置１０それぞれから固有のアドレスと共に提示信号を受信している。履歴検知部２１ｂは、提示信号に基づいて、第２照明装置１０Ｂの代わりに第５照明装置１０Ｅの累積点灯時間を記憶する。交換検知部２１ａは、提示信号に基づいて、２以上の照明装置１０のうち、交換後の照明装置１０と、未交換の照明装置１０と、を弁別する。言い換えれば、本実施形態の照明システム２０では、システムの起動前後において、交換後の照明装置１０と、未交換の照明装置１０とが弁別されている。照明システム２０は、交換後の照明装置１０の存在を検知した場合、２以上の照明装置１０すべての光量を検出する。制御装置２１は、第１照明装置１０Ａ、第５照明装置１０Ｅ、第３照明装置１０Ｃ及び第４照明装置１０Ｄの光量を検出するように、全ての照明装置１０に光源１ａの光量を検出するための指令信号を出力する。照明システム２０は、交換後の第５照明装置１０Ｅと、未交換の第１照明装置１０Ａ、第３照明装置１０Ｂ及び第４照明装置１０Ｄの全ての光源１ａの光量を、照明装置１０それぞれのセンサ２で検出する。より具体的には、照明システム２０では、制御装置２１からの指令に基づいて、第１照明装置１０Ａ、第５照明装置１０Ｅ、第３照明装置１０Ｃ及び第４照明装置１０Ｄの全ての発光色の異なる２種以上の光源１ａごとにセンサ２が光量を検出する。制御装置２１は、照明装置１０のセンサ２が検出した光源１ａの光量を検出した検出値を取得できるように構成されている。図２Ｂでは、２つ以上の照明装置１０それぞれで検出された検出値のデータの制御装置２１への送信を、白抜きの矢印で例示している。
【００７０】
制御装置２１では、第１照明装置１０Ａの光量が８２％、第５照明装置１０Ｅの光量が１００％、第３照明装置１０Ｃの光量が７８％、第４照明装置１０Ｄの光量が８０％の検出結果が得られる。照明システム２０では、交換後の第５照明装置１０Ｅの累積点灯時間は、０時間であり、第５照明装置１０Ｅから１００％の光量が得られる。
【００７１】
図２Ｃでは、照明システム２０は、第５照明装置１０Ｅの光量を、未交換の第１照明装置１０Ａ、第３照明装置１０Ｃ及び第４照明装置１０Ｄの光量の平均に合わせる制御を行っている。制御装置２１は、たとえば、未交換の第１照明装置１０Ａ、第３照明装置１０Ｃ及び第４照明装置１０Ｄにおける平均の光量の８０％を算出する。制御装置２１は、第１照明装置１０Ａ、第５照明装置１０Ｅ、第３照明装置１０Ｃ及び第４照明装置１０Ｄにおける光源１ａの光量の差が小さくなるように、第５照明装置１０Ｅの光源１ａの点灯を補正する補正係数を演算する。制御装置２１は、演算した補正係数を利用した検出結果を第５照明装置１０Ｅへ送信する。補正係数の演算は、制御装置２１で行う構成だけに限られず、照明装置１０それぞれの駆動制御部３ａで補正係数の演算を行って行ってもよい。制御装置２１は、第５照明装置１０Ｅの光量が８０％の光量となるように、調光信号を補正するための補正係数を含んだ補正データを第５照明装置１０Ｅに送信する。
【００７２】
第５照明装置１０Ｅは、検出結果に基づいて、光源１ａの点灯を制御する。第５照明装置１０Ｅは、制御装置２１からの調光信号に基づいた光色の光を放射できるように、補正係数を用いて調光信号を補正する。第５照明装置１０Ｅでは、調光信号の値に補正係数を乗じることで、制御部３が発光色の異なる種類の光源１ａごとに補正されたデューティ比のＰＷＭ信号で、光源１ａの点灯を制御する。
【００７３】
照明システム２０は、第５照明装置１０Ｅの光源１ａの光量を、第１照明装置１０Ａ、第３照明装置１０Ｃ及び第４照明装置１０Ｄにおける光量の平均と一致するように補正することで、２つ以上の照明装置１０同士の光量ばらつきを、より小さくできる。
【００７４】
照明システム２０は、交換後の第５照明装置１０Ｅを、未交換の照明装置１０の光量の平均に合すことで、２以上の照明装置１０同士の光量ばらつきを小さくできる。図２Ｃでは、制御装置２１から照明装置１０へ送信される補正データを、黒矢印で例示している。
【００７５】
すなわち、本実施形態の照明システム２０では、２つ以上の照明装置１０のそれぞれは、さらに、制御装置２１と通信する通信部３ｃを有している。通信部３ｃは、交換後の照明装置１０の情報を提示する提示信号を制御装置２１に送信することができるように構成されていることが好ましい。
【００７６】
本実施形態の照明システム２０では、通信部３ｃが提示信号を制御装置２１に送信する構成で、比較的簡単に照明装置１０の交換を弁別することができる。
【００７７】
本実施形態の照明システム２０では、制御装置２１は、履歴検知部２１ｂを備えている。履歴検知部２１ｂは、２以上の照明装置１０それぞれの累積点灯時間を計時するタイマである。交換検知部２１ａは、履歴検知部２１ｂが計時した累積点灯時間の長さに基づいて、２つ以上の照明装置１０のうち、交換後の照明装置１０と、未交換の照明装置１０とを弁別することが好ましい。
【００７８】
本実施形態の照明システム２０は、履歴検知部２１ｂが計時した累積点灯時間の長さに基づいて、交換後の照明装置１０と、未交換の照明装置１０とを弁別する構成で、比較的簡単に照明装置１０同士の光量ばらつきを小さくできる。
【００７９】
照明システム２０は、交換後の第５照明装置１０Ｅの光量を、未交換の第１照明装置１０Ａ、第３照明装置１０Ｃ及び第４照明装置１０Ｄにおける光量の平均に合す構成だけに限られない。照明システム２０では、未交換の照明装置１０における光量の平均と一致するように、全ての照明装置１０を制御してもよい。
【００８０】
照明システム２０では、たとえば、図２Ｃにおいて、補正前の第１照明装置１０Ａの光量が８２％の場合、補正後の第３照明装置１０Ｃの光出力が８０％となるように光量を小さくさせる補正を行う。照明システム２０では、たとえば、補正前の第５照明装置１０Ｅの光量が１００％の場合、補正後の第５照明装置１０Ｅの光量が８０％となるように光量を小さくさせる補正を行う。照明システム２０では、たとえば、補正前の第３照明装置１０Ｃの光量が７８％の場合、補正後の第３照明装置１０Ｃの光量が８０％となるように光量を大きくさせる補正を行う。照明システム２０では、たとえば、補正前の第４照明装置１０Ｄの光量が８０％の場合、第４照明装置１０Ｄに補正を行わず、８０％の光量を維持させる。照明システム２０では、未交換の照明装置１０における平均の光量の８０％と一致するように全ての照明装置１０の光量を補正することで、２つ以上の照明装置１０同士の光量ばらつきを、より小さくすることができる。
【００８１】
照明システム２０では、未交換の照明装置１０における平均の光量と一致するように、全ての照明装置１０を制御する構成だけに限られない。照明システム２０では、交換後の第５照明装置１０Ｅの光量を、未交換の照明装置１０のうち、最も光量の小さい第３照明装置１０Ｃの光量と一致するように、全ての照明装置１０を制御してもよい。
【００８２】
照明システム２０では、たとえば、図２Ｃにおいて、補正前の第１照明装置１０Ａの光量が８２％の場合、補正後の第３照明装置１０Ｃの光出力が７８％となるように光量を小さくさせる補正を行う。照明システム２０では、たとえば、補正前の第５照明装置１０Ｅの光量が１００％の場合、補正後の第５照明装置１０Ｅの光量が７８％となるように光量を小さくさせる補正を行う。照明システム２０では、たとえば、補正前の第３照明装置１０Ｃの光量が７８％の場合、第３照明装置１０Ｃに補正を行わず、７８％の光量を維持させる。照明システム２０では、たとえば、補正前の第４照明装置１０Ｄの光量が８０％の場合、補正後の第４照明装置１０Ｄの光量が７８％となるように光量を小さくさせる補正を行う。照明システム２０では、未交換の照明装置１０における最も光量の小さい照明装置１０の光量の７８％と一致するように補正することで、２つ以上の照明装置１０同士の光量ばらつきを、より小さくすることができる。
【００８３】
照明システム２０では、未交換の照明装置１０の平均の光量又は最も光量の小さい照明装置１０の光量に、少なくとも１つの照明装置１０の光量を一致させるように制御する場合、経過時間と共に照明装置１０の電力が増加することを抑制できる。
【００８４】
照明システム２０では、未交換の照明装置１０における最も光量の小さい照明装置１０の光量に、全ての照明装置１０の光量を一致させる場合だけに限られない。照明システム２０は、２以上の照明装置１０の最大値と一致するように、未交換の第１照明装置１０Ａ、第３照明装置１０Ｃ及び第４照明装置１０Ｄにおける光量を、交換後の第５照明装置１０Ｅの光量と一致するように制御させてもよい。
【００８５】
照明システム２０では、２上の照明装置１０それぞれに温度検知センサを備えた構成とすることもできる。照明システム２０では、２以上の照明装置１０の最大値と一致するように、全ての照明装置１０の光量を一致するように制御する場合、温度検知センサからの指令で、ＬＥＤの温度が所定の値に達する前に、照明装置１０を消灯させる機能を備えていてもよい。照明システム２０では、温度検知センサからの指令で照明装置１０を消灯させる機能を備えることで、照明装置１０の電力の増加による損傷を抑制できる。照明システム２０では、２以上の照明装置１０の最大値と一致するように全ての照明装置１０の光量を一致するように制御する場合、温度検知センサからの指令で、ＬＥＤの温度が所定の値に達する前に照明装置１０の交換を報知する報知機能を備えていてもよい。報知機能は、たとえば、交換が必要な照明装置１０の光源１ａから放射させる光を点滅できるように構成されていればよい。報知機能は、たとえば、交換が必要な照明装置１０の光源１ａを減光できるように構成されていてもよい。報知機能は、たとえば、制御装置２１のコンピュータを利用して構成することができる。
【００８６】
（実施形態２）
本実施形態の移動体３０は、図１に示す実施形態１の照明システム２０を備えた構成としている。実施形態１と同様の構成要素については、同一の符号を用いて適宜説明を省略する。
【００８７】
本実施形態の移動体３０は、照明システム２０と、照明システム２０が搭載される本体と、を備えている。
【００８８】
本実施形態の移動体３０は、照明システム２０と、照明システム２０が搭載される本体と、を備えた構成で、２つ以上の照明装置１０同士の光量ばらつきが、より小さい照明システム２０を備えた構成にできる。
【００８９】
以下では、本実施形態の移動体３０として、図８に示す航空機３０ａについて簡単に説明する。
【００９０】
航空機３０ａは、２つ以上の照明装置１０が客室３０ａａに設けられている。航空機３０ａは、たとえば、コックピットに制御装置２１が備えられている。制御装置２１は、客室３０ａａに設けられた２つ以上の照明装置１０を制御できるように構成されている。
【００９１】
航空機３０ａでは、窓３０ｅ側の鉛直方向の上側に収納棚３２が設けられている。収納棚３２は、航空機３０ａの前後方向に沿って配置された長尺の荷物入れを構成している。収納棚３２は、上部の天井材３０ｃに接するように配置されている。２つ以上の照明装置１０は、航空機３０ａにおける客室３０ａａの上方に設けられている。２つ以上の照明装置１０は、照明装置１０それぞれの長手方向に沿って、直線状に配置されている。２つ以上の照明装置１０は、互いに隣接して連なるように配置されている。
【００９２】
２つ以上の照明装置１０は、航空機３０ａの前後方向に沿って、客室３０ａａ内の天井材３０ｃを照明できるように配置されている。照明装置１０は、被保持体となる航空機３０ａの天井材３０ｃに、脚部４ｆがねじなどで固定されて取り付けられている。照明装置１０は、乗客からは見えないように配置されている。
【００９３】
言い換えれば、航空機３０ａは、照明システム２０が搭載される本体を構成している。移動体３０は、航空機３０ａだけに限られず、たとえば、列車やバスなどの車両などであってもよい。
【００９４】
本発明は、上述の実施形態だけに限定されず、本発明に係る技術的思想を逸脱しない範囲で、種々変更することができる。
【符号の説明】
【００９５】
１ａ  光源
１ｆ  第１光源
１ｓ  第２光源
２  センサ
３  制御部
３ｃ  通信部
１０  照明装置
２０  照明システム
２１  制御装置
２１ａ  交換検知部
２１ｂ  履歴検知部
３０  移動体
【図１】
0006712771.tif 000002
【図２】
0006712771.tif 000003
【図３】
0006712771.tif 000004
【図４】
0006712771.tif 000005
【図５】
0006712771.tif 000006
【図６】
0006712771.tif 000007
【図７】
0006712771.tif 000008
【図８】
0006712771.tif 000009